(57)【要約】【課題】キャビネットの前面開放部から露出するコンロ本体(2)の前面パネル(20)に化粧パネル(1a)を装着させるビルトインコンロに関し、化粧パネル(1a)の前面パネル(20)への取付けを容易にし、脱落を防止し、必要に応じて取外しを容易にすること。【解決手段】前面パネル(20)の上下端のどちらか一方から後方へ延長する延長片(11)に係合部材(10)を設け、化粧パネル(1a)の上下端のどちらか一方から、係合部材(10)を覆い且つ係合部材(10)に後方から係合する被係合部(16)を有する被覆片(110)が設けられ、化粧パネル(1a)の上下端のどちらか他方は、前面パネル(20)の上下端のどちらか他方に係脱自在とし、化粧パネル(1a)の上下端のどちらか他方が前面パネル(20)の上下端のどちらか他方に係合する時、係合部材(10)が被係合部(16)に係合可能となり、係合部材(10)には被係合部(16)との係合を解除する解除手段(51)が設けられていること。【選択図】図２
2008286487.tif 000002
【特許請求の範囲】
【請求項１】
キャビネット上面のカウンタートップに形成された開口からコンロ本体が収容されると共に、前記キャビネットの前面開放部から露出する前記コンロ本体の前面パネルに化粧パネルを装着させる形式のビルトインコンロにおいて、
前記前面パネルの上下端のどちらか一方から、延長片が後方へ延長されていると共に、前記延長片に係合部材が設けられ、
前記化粧パネルの上下端のどちらか一方から、前記係合部材を覆う被覆片が後方へ延長形成されていると共に、前記被覆片の所定位置には、前記化粧パネルを装着させた状態にて、前記係合部材に対して前記被覆片の後方から係合する被係合部が設けられており、
前記化粧パネルの上下端のどちらか他方は、前記前面パネルの上下端のどちらか他方に係脱自在に構成され、
前記化粧パネルの上下端のどちらか他方が、前記前面パネルの上下端のどちらか他方に係合するとき、前記係合部材が前記被係合部に係合可能に設定されていると共に、前記係合部材には、前記被係合部との係合を解除する解除手段が設けられていることを特徴とするビルトインコンロ。
【請求項２】
キャビネット上面のカウンタートップに形成された開口からコンロ本体が収容されると共に、前記キャビネットの前面開放部から露出する前記コンロ本体の前面パネルに化粧パネルを装着させる形式のビルトインコンロにおいて、
前記前面パネルの上下両端から、上・下延長片がそれぞれ後方へ延長されていると共に、前記上・下延長片のどちらか一方に係合部材が設けられ、
前記化粧パネルの上下両端から、前記係合部材及び前記上・下延長片のどちらか他方を、上方又は下方からそれぞれ覆う上・下被覆片が後方へ延長形成されており、
前記係合部材を覆う前記上・下被覆片のどちらか一方の所定位置には、前記化粧パネルを装着させた状態にて、前記係合部材に対して前記被覆片の後方から係合する被係合部が設けられており、
前記上・下被覆片のどちらか他方の延長端には、前記上・下延長片のどちらか他方の延長端に係合する凸部が設けられ、
前記凸部が前記延長端に係合するとき、前記係合部材が前記被係合部に係合可能に設定されていると共に、前記係合部材には、前記被係合部との係合を解除する解除手段が設けられていることを特徴とするビルトインコンロ。
【請求項３】
請求項２に記載のビルトインコンロにおいて、前記係合部材は前記上延長片上に設けられると共に、前記凸部は前記下被覆片に設けられるものとし、
前記係合部材は、上延長片上に設置される下方開放又は中空の支持箱と、
前記支持箱内に昇降自在に収容され且つ前記被係合部に係合する係合突起と、前記解除手段としての解除軸が突設されている昇降板と、
前記昇降板を前記支持箱の頂面板側へ付勢する付勢手段とから構成され、
前記頂面板には、前記解除軸が貫通する第１貫通孔と、前記係合突起が貫通する第２貫通孔が設けられ、
前記上被覆片には、前記第１貫通孔から突出している前記解除軸が後方から挿通可能な切欠と、前記第２貫通孔から突出している前記係合突起がワンウェイ係合する前記被係合部としての係合凹部が設けられており、
前記昇降板は、前記解除軸の押し込みにより、前記係合突起が前記第２貫通孔から非突出状態となるまで前記付勢手段の付勢力に抗して降下可能であることを特徴とするビルトインコンロ。
【請求項４】
請求項２に記載のビルトインコンロにおいて、前記係合部材は前記上延長片上に設けられると共に、前記凸部は前記下被覆片に設けられるものとし、
前記係合部材は、前記上延長片上に設置される下方開放又は中空の支持箱と、
前記支持箱内に収容され且つ前記支持箱の頂面板に沿ってスライド可能なスライド板とからなり、
前記スライド板には、前記被係合部に係合する係合突起と前記解除手段としての解除軸が突設されており、
前記頂面板には、前記解除軸及び前記係合突起が貫通した状態でスライド方向へ移動可能な第１、第２長孔がそれぞれ設けられており、
前記上被覆片の、前記第１長孔に対応する位置には、前記解除軸が後方から挿通可能で且つ前記スライド方向に移動可能な切欠が形成されていると共に、前記解除軸をスライド方向の一方に移動させたとき前記係合突起が係合する位置には、前記被係合部材としての爪部が設けられており、
前記係合突起は、前記解除軸を他方に移動させたとき、前記爪部との係合が解除されるように設定されていることを特徴とするビルトインコンロ。
【請求項５】
請求項１から４のいずれかに記載のビルトインコンロにおいて、前記前面パネルの上方又は下方に、前記コンロ本体内に出し入れ自在に収納可能な被収納体が配設され、
前記前面パネルの側方及び前記被収納体の側方に連続して形成される隙間はエンドピースによって隠蔽され、
前記化粧パネルは、前記前面パネルと前記エンドピースを同時に被覆可能な横幅に設定されていると共に、
前記被収納体の表面には、前記被収納体と前記エンドピースを同時に被覆可能な横幅の被覆板が装着されることを特徴とするビルトインコンロ。
【発明の詳細な説明】
【技術分野】
【０００１】
本発明は、システムキッチンのカウンタートップに開設された開口に落とし込み状態に装着されるビルトインコンロ、特に、その前面構造に関する。
【背景技術】
【０００２】
図７は、システムキッチンのカウンタートップ(4)に開設された開口(40)に落とし込み状態に装着される形式のビルトインコンロの設置作業時の斜視図である。
この形式のビルトインコンロは、熱源の点火や火力調節等を行うための複数の前面操作部(22)が突出する前面パネル(20)が前面に備えられたコンロ本体(2)と、その上方開放部を被覆するコンロ用天板(21)を具備していると共に、コンロ用天板(21)の上には、コンロ本体(2)内に収容されている複数のガスバーナの炎孔部(23)が前記天板(21)に設けられた開口部から突出していると共に、五徳(24)や排気口カバー(25)が載置される。
【０００３】
一般に、上記構成のビルトインコンロは、コンロ本体(2)を開口(40)に落とし込むと、システムキッチンのキャビネット(42)の前面開放部(41)から、コンロ本体(2)の前面パネル(20)が露出する。
【０００４】
コンロ本体(2)の開口(40)への落とし込みを容易とするために、カウンタートップ(4)に形成する開口(40)の大きさは、コンロ本体(2)よりも大きく形成されてはいるが、コンロ本体(2)を開口(40)内に落とし込む際に、前面パネル(20)の表面が開口(40)の周縁や前面開放部(41)の周縁に引っ掛かって傷が付く不都合がある。そのため、コンロ本体(2)を開口(40)内に設置した後で、前面開放部(41)から露出する前面パネル(20)の表面に、前面操作部(22)(22)を露出させる窓部(31)(31)が形成された化粧パネル(30)が後付けされる。
【０００５】
これにより、システムキッチンのキャビネット(42)の前面の美観は向上し、又、キャビネットの材質や色に合わせて化粧パネル(30)を種々変更することにより、全体の調和性やデザイン性をも向上させることができる。
【特許文献１】特開２００４−２４５４４５号公報
【特許文献２】特開平９−３０３７９３号公報
【発明の開示】
【発明が解決しようとする課題】
【０００６】
しかしながら、上記したような化粧パネル(30)をマグネットによって前面パネル(20)に装着させているものでは（特許文献１）、マグネットの磁力よりも大きな力が化粧パネル(30)に加わると、化粧パネル(30)が不用意に剥がれてしまう不都合がある。又、化粧パネル(30)に設けた複数のフックや爪部をコンロ本体(2)側に設けた複数の嵌合孔や係止孔に引っ掛けたり、嵌め込んだりして装着させる形式ものでは（特許文献２）、施工時の化粧パネル(30)の取り付け及びメンテナンス時の取り外しが面倒であるといった問題がある。
【０００７】
本発明は、『キャビネット上面のカウンタートップに形成された開口からコンロ本体が収容されると共に、前記キャビネットの前面開放部から露出する前記コンロ本体の前面パネルに化粧パネルを装着させる形式のビルトインコンロ』において、コンロ本体の設置時に、前記化粧パネルの前面パネルへの取り付けを容易とすると共に、前記化粧パネルは使用時には不用意に外れることなく、メンテナンス時には容易に取り外しできるようにすることを課題とする。
【課題を解決するための手段】
【０００８】
（１）上記課題を解決するために講じた請求項１に係る発明のビルトインコンロは、『前記前面パネルの上下端のどちらか一方から、延長片が後方へ延長されていると共に、前記延長片に係合部材が設けられ、
前記化粧パネルの上下端のどちらか一方から、前記係合部材を覆う被覆片が後方へ延長形成されていると共に、前記被覆片の所定位置には、前記化粧パネルを装着させた状態にて、前記係合部材に対して前記被覆片の後方から係合する被係合部が設けられており、
前記化粧パネルの上下端のどちらか他方は、前記前面パネルの上下端のどちらか他方に係脱自在に構成され、
前記化粧パネルの上下端のどちらか他方が、前記前面パネルの上下端のどちらか他方に係合するとき、前記係合部材が前記被係合部に係合可能に設定されていると共に、前記係合部材には、前記被係合部との係合を解除する解除手段が設けられている』ことを特徴とするものである。
上記手段は次のように作用する。
前面パネルの上端又は下端のうち、係合部材が設けられていない側の端部は、化粧パネルの上端又は下端のうち、被係合部が設けられていない側の端部に対して、係脱自在に構成されているから、化粧パネルを前面パネルに取り付けるには、まず、相互に係合可能な前記化粧パネルの前記端部を前面パネルの前記端部に係合させ、その係合部分を回動支点として、化粧パネルを前面パネル側へ向かって上方又は下方へ回動させて、前面パネルの延長片に設けられている係合部材を化粧パネルの被覆片の被係合部に係合させる。被係合部は前記係合部材に対して前記被覆片の後方から係合することにより、前記化粧パネルの、前面パネルから離反する脱落方向への回動は阻止され、前記前面パネルへの装着が完了する。前記係合部材の前記被係合部への係合を意図的に解除しない限り、装着状態は維持される。そして、解除手段を操作することにより、前記係合部材の前記被係合部への係合は解除され、化粧パネルの前記端部と前面パネルの前記端部との係合も解除することができ、化粧パネルを前面パネルから取り外すことができる。
【０００９】
尚、化粧パネルと前面パネルの相互に係脱可能な前記端部には、例えば、後述するように、化粧パネルに凸部を設け、これを前面パネルの延長端に係合させる構成のほか、前面パネルに、ピンを両側方に張り出すように設け、これらピンが対応する化粧パネルの所定箇所には、前記ピンが回動自在に嵌合する切欠孔を設ける構成等が採用可能である。
【００１０】
（２）請求項２に係る発明のビルトインコンロは、『キャビネット上面のカウンタートップに形成された開口からコンロ本体が収容されると共に、前記キャビネットの前面開放部から露出する前記コンロ本体の前面パネルに化粧パネルを装着させる形式のビルトインコンロにおいて、
前記前面パネルの上下両端縁から、上・下延長片がそれぞれ後方へ延長されていると共に、前記上・下延長片のどちらか一方に係合部材が設けられ、
前記化粧パネルの上下両端縁から、前記係合部材及び前記上・下延長片のどちらか他方を、上方又は下方からそれぞれ覆う上・下被覆片が後方へ延長形成されており、
前記係合部材を覆う前記上・下被覆片のどちらか一方の所定位置には、前記化粧パネルを装着させた状態にて、前記係合部材に対して前記被覆片の後方から係合する被係合部が設けられており、
前記上・下被覆片のどちらか他方の延長端には、前記上・下延長片のどちらか他方の延長端に係合する凸部が設けられ、
前記凸部が前記延長端に係合するとき、前記係合部材が前記被係合部に係合可能に設定されていると共に、前記係合部材には、前記被係合部との係合を解除する解除手段が設けられている』ことを特徴とするものである。
前面パネルの上延長片に係合部材が設けられている場合には、化粧パネルの上被覆片に被係合部が設けられ、下被覆片の延長端に凸部が設けられる。この場合、前記凸部を、前面パネルの下延長片の延長端に引っ掛け、この引っ掛かり部分を回動支点として、化粧パネルを前面パネル側へ向かって上方へ回動させて、前面パネルの上延長片に設けられている係合部材を化粧パネルの上被覆片の被係合部に係合させる。
【００１１】
又、前面パネルの下延長片に係合部材が設けられている場合には、化粧パネルの下被覆片に被係合部が設けられ、上被覆片の延長端に凸部が設けられる。この場合、前記凸部を、前面パネルの上延長片の延長端に引っ掛け、この引っ掛かり部分を回動支点として、化粧パネルを前面パネル側へ向かって下方へ回動させ、下延長片に設けられている係合部材を化粧パネルの上被覆片の被係合部に係合させる。
【００１２】
被係合部は前記係合部材に対して前記被覆片の後方から係合することにより、前記化粧パネルの、前面パネルから離反する脱落方向への回動は阻止され、前記前面パネルへの装着が完了する。前記係合部材の前記被係合部への係合を意図的に解除しない限り、装着状態は維持される。そして、解除手段を操作することにより、前記係合部材の前記被係合部への係合は解除され、化粧パネルを前面パネルから取り外すことができる。
【００１３】
（３）請求項２において、『前記係合部材は前記上延長片上に設けられると共に、前記凸部は前記下被覆片に設けられるものとし、
前記係合部材は、上延長片上に設置される下方開放又は中空の支持箱と、
前記支持箱内に昇降自在に収容され且つ前記被係合部に係合する係合突起と、前記解除手段としての解除軸が突設されている昇降板と、
前記昇降板を前記支持箱の頂面板側へ付勢する付勢手段とから構成され、
前記頂面板には、前記解除軸が貫通する第１貫通孔と、前記係合突起が貫通する第２貫通孔が設けられ、
前記上被覆片には、前記第１貫通孔から突出している前記解除軸が後方から挿通可能な切欠と、前記第２貫通孔から突出している前記係合突起がワンウェイ係合する前記被係合部としての係合凹部が設けられており、
前記昇降板は、前記解除軸の押し込みにより、前記係合突起が前記第２貫通孔から非突出状態となるまで前記付勢手段の付勢力に抗して降下可能である』ものでは、係合部材は上延長片の上面に設けられるものとし、前記上延長片上に設置された支持箱内に、昇降板が、付勢手段によって頂面板側（上方）へ付勢された態様で収容されている。尚、前記昇降板には、係合突起と解除軸とが突設されている。前記解除軸と係合突起は、前記昇降板が前記付勢手段によって上方へ付勢されたとき、前記頂面板に設けられている第１、第２貫通孔をそれぞれ貫通して頂面板の上方へ突出し、解除軸を下方へ押し込むと、昇降板が付勢手段の付勢力に抗して降下し、それに設けられている係合突起も降下し、前記第２貫通孔から非突出状態となる。
【００１４】
この化粧パネルを前面パネルに取付けるには、化粧パネルの下被覆片に設けられている凸部を、前面パネルの下延長片の延長端に下方から係止させ、この係止部分を回動支点として、化粧パネルを上方へ回動させて、上被覆片を支持箱の頂面板上に被覆させる。このとき、解除軸は、上被覆片に設けられている切欠に後方から嵌まり込み、係合突起が係合凹部にワンウェイ係合する。これにより、化粧パネルの前面パネルへの装着が完了する。
【００１５】
この化粧パネルを前面パネルから取り外すには、解除軸を下方へ押圧して、係合突起を前記昇降板と共に降下させる。係合突起が支持箱の頂面板から非突出状態となるまで降下させることにより、係合突起と係合凹部とのワンウェイ係合が解除される。尚、前記解除軸と前記カウンタートップの下面との間には、前記解除軸を指等で操作可能な隙間が形成されているものとする。
【００１６】
(４)請求項２において、『前記係合部材は前記上延長片上に設けられると共に、前記凸部は前記下被覆片に設けられるものとし、
前記係合部材は、前記上延長片上に設置される下方開放又は中空の支持箱と、
前記支持箱内に収容され且つ前記支持箱の頂面板に沿ってスライド可能なスライド板とからなり、
前記スライド板には、前記被係合部に係合する係合突起と前記解除手段としての解除軸が突設されており、
前記頂面板には、前記解除軸及び前記係合突起が貫通した状態でスライド方向へ移動可能な第１、第２長孔がそれぞれ設けられており、
前記上被覆片の、前記第１長孔に対応する位置には、前記解除軸が後方から挿通可能で且つ前記スライド方向に移動可能な切欠が形成されていると共に、前記解除軸をスライド方向の一方に移動させたとき前記係合突起が係合する位置には、前記被係合部材としての爪部が設けられており、
前記係合突起は、前記解除軸を他方に移動させたとき、前記爪部との係合が解除されるように設定されている』ものでは、係合部材は、上延長片の上面に設けられるものとし、支持箱内に、解除軸と係合突起を突設させたスライド板が、前記支持箱の頂面板に設けた第１、第２長孔内をスライド方向に移動可能に収容されている。すなわち、第１長孔に貫通させた解除軸をスライド方向に移動させると、係合突起も第２長孔内を同方向に移動する。支持箱の頂面板に被覆させる化粧パネルの上被覆片の、前記第１長孔に対応する位置には、所定幅の切欠が後方開放状態に形成されていることから、化粧パネルを装着した状態にて、前記解除軸は、前記切欠内を移動可能となる。尚、前記上被覆片には、解除軸をスライド方向の一方に移動させたとき、前記係合突起が後方から係合し、他方に移動させたとき、前記係合が解除される爪部が設けられている。
【００１７】
この化粧パネルを前面パネルに取付けるには、化粧パネルの下被覆片に設けられている凸部を、前面パネルの下延長片の延長端に下方から引っ掛けた状態で、化粧パネルを上方へ回動させる。このとき、係合突起が爪部に係合しないように、解除軸を前記スライド方向の他方に移動させておく。これにより、化粧パネルの上被覆片は支持箱の頂面板上に支障なく被覆され、解除軸は切欠内に収容される。この状態から、解除軸を前記スライド方向の一方に移動させると、係合突起が前記爪部に後方から係合し、化粧パネルは前面パネルに取り付けられる。
この化粧パネルを前面パネルから取り外すには、解除軸を前記他端側へ再度移動させて、係合突起と爪部との係合を解除する。
【００１８】
（５)上記各請求項において、『前記前面パネルの上方又は下方に、前記コンロ本体内に出し入れ自在に収納可能な被収納体が配設され、
前記前面パネルの側方及び前記被収納体の側方に連続して形成される隙間はエンドピースによって隠蔽され、
前記化粧パネルは、前記前面パネルと前記エンドピースを同時に被覆可能な横幅に設定されていると共に、
前記被収納体の表面には、前記被収納体と前記エンドピースを同時に被覆可能な横幅の被覆板が装着される』もので、キャビネットの前面開放部の左右両端縁と、前面パネル及び被収納体の両端との間に隙間が形成される場合、エンドピースを設けて前記隙間を隠蔽させるが、化粧パネル及び被覆板を装着させることにより、前記エンドピースも隠蔽される。
【発明の効果】
【００１９】
請求項１に係る発明によれば、化粧パネルの上下端のどちらを、前面パネルの上下端のどちらかに係合させて、その係合部分を回動支点として、化粧パネルを上方又は下方へ回動させて、前面パネルの延長片に設けた係合部材を、化粧パネル被覆片に設けた被係合部に係合させるだけで化粧パネルの前面パネルへの装着が完了するから、ビルトインコンロのキャビネットへの設置後における化粧パネルの装着が容易となる。又、一旦装着された化粧パネルは、不用意に外れることがないから、使用中に脱落することはない。メンテナンス時等には、解除手段を操作して、前記係合部材の前記被係合部への係合を解除すれば、化粧パネルを前面パネルから容易に取り外すことができる。このように、天板の開口内に設置後のコンロ本体の前面パネルに、装着が容易で且つ、通常使用時には不用意に外れることがなく、メンテナンス時等には容易に取り外すことが出来る化粧パネルを提供することができる。
【００２０】
請求項２に係る発明によれば、化粧パネルの凸部を、前面パネルの上・下延長片のどちらかの延長端に引っ掛けるだけで、化粧パネルの回動支点が構成されるから、化粧パネルの装着が一層容易となる。又、前記係合部材の前記被係合部への係合を解除すれば、化粧パネルは前面パネルから自然に分離されるから、化粧パネルの取り外しも一層容易となる。
【００２１】
請求項３に係る発明によれば、化粧パネルの上被覆片を支持箱の頂面板上に前方から被覆させるだけで、前記頂面板上に突出させた係合突起を係合凹部にワンウェイ係合させることができるから、化粧パネルの前面パネルへの装着がさらに容易となる。又、この装着時には、化粧パネルを撓ませる必要がないから、ステンレス等が貼り付けられた剛性の強い化粧パネルでも容易に装着させることができる。さらに、係合突起と被係合部との係合を解除する解除手段としての解除軸が、化粧パネルの上部に位置しているため、メンテナンス等で化粧パネルを取り外す際に作業者が解除軸を目で確認し易く、又、前記係合を解除するには、前記解除軸を下方へ押すだけであるから、解除操作も容易である。よって、化粧パネルの取り外し作業が一層容易となる。
【００２２】
請求項４に係る発明によれば、解除軸をスライド操作することにより、上記各請求項と同一の効果が期待できる。
請求項５に係る発明によれば、ビルトインコンロの前面の美観を一層向上させることができる。
【発明を実施するための最良の形態】
【００２３】
以下に、本発明を実施するための最良の形態について添付図面を参照しながら説明する。
本発明の実施の形態のものは、図１に示すように、システムキッチンのカウンタートップ(4)に開設された開口(40)に、加熱源としてのバーナや、電磁弁、点火装置等の加熱制御装置等を収容する、上方開放の矩形の箱体であるコンロ本体(2)を、落とし込み状態に収容させるビルトインコンロであって、コンロ本体(2)の前面には、グリル装置(26)とその両側に前面ユニット(3a)(3b)が組み込まれている。
コンロ本体(2)の上方はガラス製の天板(21)によって被覆されており、前記天板(21)に設けられた３つの開口からは、ガスバーナの炎孔部(23)がそれぞれ臨むように配設されていると共に、各開口の周縁には五徳(24)が、その後方には排気口カバー(25)が配設されている。
【００２４】
コンロ本体(2)の前面中央には、グリル装置(26)が配設されており、その向かって右側に位置する前面ユニット(3a)は、電源スイッチ(27)と、前記ガスバーナの点火、消火、火力調整機能を兼備した前面操作部(22)が配設された前面パネル(20)と、その下方に被収納体として設けられている前記加熱制御装置の種々の制御機能をセットする引き出し式操作部(29)とから構成されている。
【００２５】
他方、グリル装置(26)の向かって左側に配設されている前面ユニット(3b)は、グリル用の前面操作部(33)が具備された前面パネル(32)と、その下方に設けられた、グリル部の種々の制御機能を操作するための引き出し式操作部(34)とから構成されている。
前記コンロ用の引き出し式操作部(29)及びグリル用の引き出し式操作部(34)は、共に、前面ユニット(3a)(3b)に対して引出し・押し込み自在に装着されており、不使用時には前面ユニット(3a)(3b)内に対して押し込んで収納される。
【００２６】
上述したように、コンロ本体(2)を、システムキッチンのキャビネット(42)の上面のカウンタートップ(4)の開口(40)内に落とし込んで、その上方開放端から水平方向に延びているフランジ部を前記開口(40)の周縁に係止させると、コンロ本体(2)の前面に配設されているグリル装置(26)と前面ユニット(3a)(3b)が、キャビネット(42)の前面に設けられている前面開放部(41)から露出する。
尚、前面ユニット(3a)(3b)と前面開放部(41)の左右両端縁との間に隙間(S)(S)が存在する場合には、エンドピース(43)(43)を嵌め込んで、前記隙間(S)(S)を隠蔽する。
【００２７】
そして、前面開放部(41)から露出する前記前面パネル(20)(32)及び引き出し式操作部(29)(34)、さらに、前記エンドピース(43)をも被覆する態様で、それぞれ、化粧パネル(1a)(1b)と被覆板(19a)(19b)を装着させる。
【００２８】
まず、コンロ用の前面パネル(20)と、それに装着させる化粧パネル(1a)の構造について説明する。
コンロ用の前面パネル(20)は、図２及び図３に示すように、前面操作部(22)が前方へ突出する前面板の上下両端縁から、上・下延長片(11)(12)がそれぞれ後方へ延長形成されていると共に、上延長片(11)の上面には、係合部材として、断面略コ字状の支持箱(10)が下方開放状態に設置されている。
【００２９】
支持箱(10)内には、図３及び図４に示すように、中央に、解除手段としての解除軸(51)が突設され、その両側方に一対の係合突起(52)(52)が突設された昇降板(5)と、前記係合突起(52)(52)の下方突出部(53)(53)にそれぞれ外嵌され且つ昇降板(5)を支持箱(10)の頂面板(14)側（上方）へ付勢する付勢手段としてのコイルバネ(50)(50)が収容されている。
尚、頂面板(14)には、昇降板(5)がコイルバネ(50)(50)によって上方へ付勢されるとき、解除軸(51)及び係合突起(52)(52)をそれぞれ上方へ突出状態に貫通させる第１、第２貫通孔(141)(142)が形成されている。
【００３０】
解除軸(51)を下方へ押圧すると、図４の二点鎖線に示すように、昇降板(5)が、コイルバネ(50)(50)の付勢力に抗して支持箱(10)内を降下し、これに伴って、前記係合突起(52)(52)も降下して、頂面板(14)の第２貫通孔(142)(142)から上方へ非突出状態となるように各寸法関係は設定されている。
【００３１】
次に、化粧パネル(1a)について説明する。
化粧パネル(1a)は、図５に示すように、前面パネル(20)とエンドピース(43)とを合わせた横幅を有し且つ前記前面パネル(20)から前方へ突出させた前面操作部(22)を貫通させる窓部(18)が前記前面操作部(22)の数だけ設けられた板状体であり、その上下両端縁から、前記支持箱(10)の頂面板(14)及び下延長片(12)を覆う上・下被覆片(110)(120)がそれぞれ後方へ延長形成されている。
【００３２】
上被覆片(110)には、前記第１貫通孔(141)を介して支持箱(10)の頂面板(14)から上方へ突出している解除軸(51)が挿通可能な後方開放の切欠(15)と、前記第２貫通孔(142)(142)を介して頂面板(14)から上方へ突出している係合突起(52)(52)がワンウェイ係合する下方開放の係合凹部(16)(16)が設けられている。
【００３３】
又、下被覆片(120)の延長端辺には、前記下延長片(12)の延長端(12a)に係合する３つの凸部(13)が等間隔に上方に向かって突設されている。
この化粧パネル(1a)を前面パネル(20)に取付けるには、化粧パネル(1a)の下被覆片(120)の凸部(13)を、前面パネル(20)の下延長片(12)の延長端(12a)に下方から、前方へ抜け止め状態に係合させ、凸部(13)と下延長片(12)の延長端(12a)との係合部分を回動支点として、化粧パネル(1a)を上方へ回動させる。
【００３４】
前記凸部(13)を下延長片(12)の延長端(12a)に係合させたとき、前面操作部(22)が窓部(18)を挿通し且つ、係合突起(52)(52)が化粧パネル(1a)の上被覆片(110)に設けられた係合凹部(16)(16)に係合可能な寸法関係に設定されている。
【００３５】
尚、係合突起(52)(52)の上端の形状を、図３に示すように、前方に向って降下する傾斜面とすることにより、係合突起(52)(52)は、前記傾斜面が上被覆片(110)の延長端によって徐々に押されることにより、コイルバネ(50)(50)を弾性変形させながら、昇降板(5)と共に降下していく。そして、係合突起(52)(52)が係合凹部(16)に対応した時点で、コイルバネ(50)(50)の弾性復帰力により、昇降板(5)が上方へ付勢された初期状態に復帰し、第２貫通孔(142)(142)から上方へ突出する係合突起(52)(52)が係合凹部(16)(16)にワンウェイ係合する。このとき、解除軸(51)は、上被覆片(110)中央に後方開放状態に設けられている切欠(15)に後方から嵌まり込む態様となっている。
これにより、化粧パネル(1a)の前面パネル(20)への装着が完了し、係合突起(52)(52)の係合凹部(16)(16)への係合が強制的に解除されない限り、装着状態が維持される。
【００３６】
コンロ本体(2)の修理やメンテナンス等の際に、化粧パネル(1a)を前面パネル(20)から取り外すには、カウンタートップ(4)の下方へ指を差し入れて、解除軸(51)を下方へ押す。これにより、係合突起(52)(52)が昇降板(5)と共に降下させられる。係合突起(52)が支持箱(10)の頂面板(14)から非突出状態となるまで降下させられることにより、係合突起(52)と係合凹部(16)との係合が解除され、上被覆片(110)を支持箱(10)の頂面板(14)から離反させることができ、化粧パネル(1a)を前面パネル(20)から取り外すことができる。
【００３７】
図６に示すものは、グリル用の前面パネル(32)とそれに装着させる化粧パネル(1b)とに関する要部拡大図である。
このものでは、前面パネル(32)の上端縁から延長させた上延長片(35)上に、下方開放の支持箱(10)を載置させ、前記支持箱(10)内に、支持箱(10)の頂面板(14)に対して左右に移動可能なスライド板(36)を収容させた構成としている。
【００３８】
スライド板(36)には、楔形の係合突起(52)(52)と解除手段としての解除軸(51)が突設されており、頂面板(14)には、解除軸(51)及び係合突起(52)(52)が貫通した状態でスライド方向へ移動可能な第１、第２長孔(151)(152)がそれぞれ設けられている。
【００３９】
化粧パネル(1b)は、前面パネル(32)の幅とエンドピースの幅を合わせた長さの幅を有する板状体であり、上端縁から延長させた上被覆片(110)の、前記第１長孔(151)に対応する位置には、第１長孔(151)とほぼ同じ幅の切欠(54)が後方開放状態に形成されている。  
【００４０】
又、上被覆片(110)の裏面には、前記解除軸(51)を、同図に示す第１長孔(151)の右端から、第１長孔(151)の左端に移動させたとき、スライド板(36)と同時に、第２長孔(152)内を移動する前記係合突起(52)(52)が係合可能な同じく楔状の爪部(55)(55)が設けられている。
尚、図示しないが、前面パネル(32)の下辺からは、コンロ用前面パネル(20)と同様に、下延長片が延長形成されており、化粧パネル(1b)には、コンロ用前面パネル(20)に取り付ける化粧パネル(1b)と同様に、下被覆片に凸部が設けられているものとする。
【００４１】
化粧パネル(1b)を前面パネル(32)に取付けるには、前記凸部を、前面パネル(32)の下延長片の延長端に引っ掛けた状態で、化粧パネル(1b)を上方へ回動させる。このとき、上被覆片(110)の裏面に設けられている爪部(55)(55)が、支持箱(10)の頂面板(14)上に突出させた係合突起(52)(52)にぶつからないように、解除軸(51)を、第１長孔(151)の一端寄り（図６では右端）に位置させておく。これにより、解除軸(51)を上被覆片(110)の切欠(54)内に位置させた状態で、化粧パネル(1b)の上被覆片(110)を、支持箱(10)の頂面板(14)上に被せることができる。この状態にて、楔状の爪部(55)(55)の先端は、係合突起(52)(52)よりも後方位置にて、係合突起(52)(52)の先端に対向するように設定されている。
【００４２】
この状態から、解除軸(51)を前記第１長孔(151)の左端（切欠(54)の左端）に移動させると、係合突起(52)(52)がスライド板(36)と共に、第２長孔(152)内を同方向に移動し、係合突起(52)(52)が爪部(55)(55)に後方から係合する。これにより、化粧パネル(1b)は前面パネル(32)に取り付けられ、不用意に脱落することはない。
【００４３】
この化粧パネル(1b)を前面パネル(32)から取り外すには、解除軸(51)を、再度移動させて元の位置に戻せば、係合突起(52)(52)も元の位置に戻り、爪部(55)(55)との係合は解除される。
【００４４】
上記各化粧パネル(1a)(1b)は、ワンタッチで前面パネル(20)(32)に脱着させることができるから、コンロ本体(2)の設置時の作業性が向上すると共に、修理やメンテナンス時には容易に取り外して、前面ユニット(3a)(3b)をコンロ本体(2)から引き出すことができる。
【００４５】
又、化粧パネル(1a)(1b)は、撓ませることなく前面パネル(20)(32)に装着させることができるから、例えば、ステンレス等の剛性の強い板材を添設させた構成のものでも、容易に前面パネル(20)(32)に装着させることができる。
【００４６】
化粧パネル(1a)(1b)を取り外す際に操作する解除軸(51)は、化粧パネル(1a)(1b)の上部に位置させているため、メンテナンス等で化粧パネル(1a)(1b)を取り外す際に、作業者が解除軸(51)を目で確認し易く、取り外し作業がやり易い。
【００４７】
尚、この実施の形態のものでは、前面ユニット(3a)(3b)とキャビネット(42)の前面開放部(41)との間に形成される隙間(S)を隠蔽するために、エンドピース(43)(43)が設けられており、化粧パネル(1a)(1b)は、前面パネル(20)(32)とエンドピース(43)(43)の上部域を被覆する大きさに設けられていると共に、引き出し式操作部(29)(34)の表面とエンドピース(43)(43)の下部域を被覆するように、被覆板(19)が取り付けられている。これにより、コンロ本体(2)の前面の美観が向上し、コンロ本体(2)内からの音漏れも一層防止することができる。
尚、上記実施の形態では、コンロ用の前面パネル(20)と化粧パネル(1a)の構造と、グリル用の前面パネル(32)と化粧パネル(1b)の構造を異なる構造としたが、同じ構造のものを採用しても良いことは言うまでもない。
【００４８】
又、上記実施の形態では、係合部材を上延長片(11)に設ける構成としたが、下延長片(12)に設ける構成としても良い。この場合、被係合部としての係合凹部(16)や爪部(55)は、化粧パネル(1a)(1b)の下被覆片(120)に設けられ、凸部(13)は、上被覆片(110)に設けられることとなる。この場合、化粧パネル(1a)(1b)を前面パネル(20)(32)に取り付けるには、上被覆片(110)の凸部(13)を上延長片(11)の延長端に係合させ、その係合部分を回動支点として、化粧パネル(1a)(1b)を下方へ回動させて、係合部材を、化粧パネル(1a)(1b)の下被覆片(120)に設けられている被係合部に係合させれば良い。
同様に、係合部材及び被係合部は、前面パネル(20)(32)及び化粧パネル(1a)(1b)の左右両側縁から後方に延長させた、左右延長片(37)(37)及び左右被覆片(47)(47)のどちらか一方にそれぞれ設ける構成としてもよい。この場合では、どちらか他方の係合部分を回動支点として、化粧パネルの左右どちらか一方が扉状に回動させることができる。
【００４９】
又、凸部(13)と延長端(12a)との係合に代えて、前面パネル(20)(32)の左右両延長片(37)(37)に、図２の二点鎖線に示すように、ピン(38)(38)を外方に突設させ、化粧パネル(1a)(1b)の左右両被覆片(47)(47)に、前記ピン(38)(38)が後方から回動可能に嵌まり込む切欠孔(48)(48)を設ける構成としても良い。
【００５０】
又、上記実施の形態では、前記被収納体として、引き出し式操作部(29)(34)を採用したが、被収納体の下端部を回転軸として、前方へ回動可能に収納される回動式のもの等も採用可能である。さらに、前記被収納体は、前面パネル(20)(32)の上方に設けられていても良い。
【００５１】
さらに、図示しないが、化粧パネルと被覆板を一体とし、前記被収納体に対応する箇所に、前記被収納体が引き出し或いは回動可能となるように、コンロ本体(2)の前面に前記被収納体を露出させるための窓部を設ける構成としても良い。
【００５２】
上記実施の形態では、ビルトイン式のガスコンロを採用したが、ガスコンロ以外のビルトインコンロ、例えば、熱源として電気ヒータを用いる電気コンロ、さらには、熱源として電磁誘導コイルを用いるＩＨ調理器の前面構造にも本願発明は適用できる。
【図面の簡単な説明】
【００５３】
【図１】本発明の実施の形態のビルトインコンロの設置前の分解斜視図。
【図２】本発明の実施の形態のビルトインコンロの前面パネルと化粧パネルの一例を示す分解斜視図。
【図３】本発明の実施の形態のビルトインコンロの前面パネルと化粧パネルの一例を示す分解縦断面図。
【図４】本発明の実施の形態のビルトインコンロの前面パネルと化粧パネルの一例を示す要部拡大断面図。
【図５】本発明の実施の形態のビルトインコンロの化粧パネルの一例を示す斜視図。
【図６】本発明の実施の形態のビルトインコンロの前面パネルと化粧パネルの他の例を示す要部拡大説明図。
【図７】従来のビルトインコンロの説明図。
【符号の説明】
【００５４】
(1a)・・・・・・・化粧パネル
(11)・・・・・・・上延長片
(12)・・・・・・・下延長片
(16)・・・・・・・係合凹部（被係合部）
(110) ・・・・・・上被覆片
(120) ・・・・・・下被覆片
(20)・・・・・・・前面パネル
(22)・・・・・・・前面操作部
(51)・・・・・・・解除軸（解除手段）
【図１】
2008286487.tif 000003
【図２】
2008286487.tif 000004
【図３】
2008286487.tif 000005
【図４】
2008286487.tif 000006
【図５】
2008286487.tif 000007
【図６】
2008286487.tif 000008
【図７】
2008286487.tif 000009